(57)【要約】【課題】インジェクタから排気通路内に噴射された添加剤の濃度の不均一を積極的に解消して、排ガス中に良好に拡散できるエンジンの排気浄化装置を提供する。【解決手段】排気通路４内に配設した枠体１０内に４枚の第１上流フィン１１ａを並設し、その下流側に６枚の第１下流フィン１２ａを並設し、各フィン１１ａを尿素水の噴射軸線Ｌ側から反噴射軸線Ｌ側且つ下方に傾斜させる。山形に列設された各第１上流フィン１１ａの頂点にインジェクタ５から尿素水の噴霧を衝突させ、第１上流フィン１１ａの傾斜に倣って前方及び後方に移動させる。尿素水の一部を間隙１５から流下させ、残りの尿素水を前後両側の第１上流フィン１１ａ上でさらに前方及び後方に移動させて間隙１５から流下させる。各間隙１５から流下した尿素水を第１下流フィン１２ａで受け止めて前方及び後方に移動させつつ間隙１５から流下させる。【選択図】図５
2018040336.tif 000002
【特許請求の範囲】
【請求項１】
エンジンの排気通路内で排気下流方向に添加剤を噴射する添加剤噴射手段と、
前記添加剤噴射手段の排気下流側に配設され、添加剤の供給により前記エンジンの排ガスの浄化作用を奏する触媒装置と、
前記添加剤噴射手段から噴射される添加剤を排ガス中に拡散させる排気ミキサと
を備えたエンジンの排気浄化装置において、
前記排気ミキサは、一対のフィンの一端を前記排気通路内の中央側で対峙させると共に、該中央側から前記排気通路内の外周側且つ排気下流側に向けて傾斜するように前記両フィンを略対称に並設し、並設方向において前記両フィンの対峙箇所が前記添加剤噴射手段からの添加剤の噴射軸線上に存在するよう配設された
ことを特徴とするエンジンの排気浄化装置。
【請求項２】
前記一対のフィンのそれぞれの前記排気通路内の外周側に、外周側且つ排気下流側に向けて傾斜する少なくとも１枚のフィンをそれぞれ並設した
ことを特徴とする請求項１に記載のエンジンの排気浄化装置。
【請求項３】
前記一対のフィンの対峙箇所を頂点として、前記各フィンを並設方向に山形をなすように列設した
ことを特徴とする請求項２に記載のエンジンの排気浄化装置。
【請求項４】
前記各フィンを上流フィンとし、前記排気通路内の前記上流フィンの排気下流側に、少なくとも一対の下流フィンを前記上流フィンと同方向に並設すると共に、各下流フィンを前記排気通路内の外周側且つ排気下流側に向けて傾斜させた
ことを特徴とする請求項１から３の何れか１項に記載のエンジンの排気浄化装置。
【請求項５】
前記上流フィンと前記下流フィンとは、前記添加剤噴射手段から見てオーバラップするように並設方向で互い違いに配設された
ことを特徴とする請求項４に記載のエンジンの排気浄化装置。
【請求項６】
前記排気通路は、前記上流フィン及び下流フィンの並設方向に長く、これと直交する方向に短い扁平状の断面をなす
ことを特徴とする請求項４または５に記載のエンジンの排気浄化装置。
【請求項７】
前記上流フィンは、並設方向と直交する前記排気通路内の一側壁から第１上流フィンを延設し、前記排気通路内の他側壁から第２上流フィンを延設し、該第１及び第２上流フィンの先端同士を互いに突き合わせてなる
ことを特徴とする請求項６に記載のエンジンの排気浄化装置。
【請求項８】
前記添加剤噴射手段は、前記上流フィンの並設方向において前記第１上流フィン上への添加剤の衝突領域と前記第２上流フィン上への添加剤の衝突領域とを異にし、
前記第１及び第２上流フィンは、それぞれの添加剤の衝突領域を包含するように並設された
ことを特徴とする請求項７に記載のエンジンの排気浄化装置。
【発明の詳細な説明】
【技術分野】
【０００１】
本発明は、エンジンの排気浄化装置に係り、詳しくは排気通路内で添加剤噴射手段から噴射された添加剤を排気ミキサにより拡散させて触媒装置に供給する排気浄化装置に関する。
【背景技術】
【０００２】
この種のエンジンの排気浄化装置としては、例えば選択還元型のＮＯx浄化触媒（以下、ＳＣＲ触媒という）を備えたものがある。周知のようにＳＣＲ触媒は排ガス中のＮＯxを還元・浄化するためにアンモニア（ＮＨ３）を必要とすることから、排気通路のＳＣＲ触媒の上流側に配置したインジェクタから添加剤として尿素水を噴射し、尿素水が排気熱及び排ガス中の水蒸気により加水分解されて生成されるアンモニアを利用してＳＣＲ触媒により排ガス中のＮＯx（窒素酸化物）を還元・浄化している。
【０００３】
ＳＣＲ触媒のＮＯx還元作用は尿素水の供給状態の影響を強く受け、良好な還元作用を得るには、排ガス中に尿素水を良好に拡散させて、ＳＣＲ触媒の各部位に均等にアンモニアを供給する必要がある。このような要望を達成するために、尿素水を拡散させるための排気ミキサに関する種々の対策が提案されている（例えば、特許文献１参照）。
特許文献１の技術では、排気通路の内壁間に複数の基板部を掛け渡し、基板部から排気下流方向にフィンを延設して所定角度に折り曲げて排気ミキサを構成している。エンジンの運転中において、排気通路内での排ガスの流れが各基板部により整流され、その後に各フィンの折り曲げ方向に流れが変えられて攪拌され、これにより添加剤の排ガス中への拡散を図っている。
【先行技術文献】
【特許文献】
【０００４】
【特許文献１】特開２０１３−１０８４３８号公報
【発明の概要】
【発明が解決しようとする課題】
【０００５】
ところで、一般に尿素水等の添加剤の排気通路内への供給はインジェクタにより行われるため、添加剤はインジェクタの先端部の１点から噴射される。添加剤の拡散を促進するために、例えばインジェクタを３噴孔として異なる３方向に向けて噴射する場合もあるが、噴射箇所がインジェクタの先端部の１点であることに相違はない。このため、噴射された添加剤は排気通路の中央（インジェクタの噴射軸線）側で濃く、外周側で薄くなる傾向がある。
【０００６】
上記した特許文献１の技術では、フィンにより排ガスの流れを変えて攪拌を図っているものの、添加剤の濃度が不均一な傾向を解消するには至らず、従来より添加剤の濃度を積極的に均一化する対策が要望されていた。
本発明はこのような問題点を解決するためになされたもので、その目的とするところは、インジェクタから排気通路内に噴射された添加剤の濃度の不均一を積極的に解消することにより、排ガス中に添加剤を良好に拡散させて触媒装置上の各部位に均等に供給することができるエンジンの排気浄化装置を提供することにある。
【課題を解決するための手段】
【０００７】
上記の目的を達成するため、本発明のエンジンの排気浄化装置は、エンジンの排気通路内で排気下流方向に添加剤を噴射する添加剤噴射手段と、前記添加剤噴射手段の排気下流側に配設され、添加剤の供給により前記エンジンの排ガスの浄化作用を奏する触媒装置と、前記添加剤噴射手段から噴射される添加剤を排ガス中に拡散させる排気ミキサとを備えたエンジンの排気浄化装置において、前記排気ミキサが、一対のフィンの一端を前記排気通路内の中央側で対峙させると共に、該中央側から前記排気通路内の外周側且つ排気下流側に向けて傾斜するように前記両フィンを略対称に並設し、並設方向において前記両フィンの対峙箇所が前記添加剤噴射手段からの添加剤の噴射軸線上に存在するよう配設されたことを特徴とする（請求項１）。
【０００８】
このように構成したエンジンの排気浄化装置によれば、添加剤噴射手段から噴射軸線に沿って噴射された添加剤が一対のフィンの対峙箇所に衝突し、両フィンの傾斜に倣って排気通路の外周側に拡散される。このため、排気通路の中央側と外周側との濃度の格差が縮小されて均一化し、添加剤を排ガス中に良好に拡散させることが可能となる。
その他の態様として、前記一対のフィンのそれぞれの前記排気通路内の外周側に、外周側且つ排気下流側に向けて傾斜する少なくとも１枚のフィンをそれぞれ並設することが好ましい（請求項２）。
【０００９】
この態様によれば、添加剤噴射手段からの添加剤が各フィンにより排気通路の外周側へと順次拡散されることから、排気通路の中央側と外周側との濃度の格差が一層縮小される。
その他の態様として、前記一対のフィンの対峙箇所を頂点として、前記各フィンを並設方向に山形をなすように列設することが好ましい（請求項３）。
【００１０】
この態様によれば、一対のフィンの対峙箇所を頂点として各フィンが並設方向に山形をなしているため、添加剤が排気通路の外周側に良好に拡散される。
その他の態様として、前記各フィンを上流フィンとし、前記排気通路内の前記上流フィンの排気下流側に、少なくとも一対の下流フィンを前記上流フィンと同方向に並設すると共に、各下流フィンを前記排気通路内の外周側且つ排気下流側に向けて傾斜させることが好ましい（請求項４）。
【００１１】
この態様によれば、上流フィンに加えて下流フィンでも添加剤が排気通路の外周側に拡散されることから、排気通路の中央側と外周側との添加剤の濃度の格差が一層縮小される。
その他の態様として、前記上流フィンと前記下流フィンとを、前記添加剤噴射手段から見てオーバラップするように並設方向で互い違いに配設することが好ましい（請求項５）。
【００１２】
この態様によれば、各上流フィンの間に形成された間隙の直下に下流フィンが位置することから、上流フィンの間隙を通過した添加剤が下流フィンにより受け止められ、この下流フィンにより排気通路の外周側にさらに拡散される。
その他の態様として、前記排気通路が、前記上流フィン及び下流フィンの並設方向に長く、これと直交する方向に短い扁平状の断面をなすことが好ましい（請求項６）。
【００１３】
この態様によれば、扁平状の断面をなす排気通路では、添加剤の濃度に大きな格差が生じるが、この濃度の格差が、上流フィン及び下流フィンによる添加剤の拡散で縮小される。
その他の態様として、前記上流フィンが、並設方向と直交する前記排気通路内の一側壁から第１上流フィンを延設し、前記排気通路内の他側壁から第２上流フィンを延設し、該第１及び第２上流フィンの先端同士を互いに突き合わせてなることが好ましい（請求項７）。
【００１４】
この態様によれば、排気通路の内壁から片持ち支持されるフィン長さが短縮化されることから、その耐久性を向上可能となる。
その他の態様として、前記添加剤噴射手段が、前記上流フィンの並設方向において前記第１上流フィン上への添加剤の衝突領域と前記第２上流フィン上への添加剤の衝突領域とを異にし、前記第１及び第２上流フィンが、それぞれの添加剤の衝突領域を包含するように並設されることが好ましい（請求項８）。
【００１５】
この態様によれば、添加剤が衝突する領域に必ず上流フィンが存在することになるため、下流側への添加剤の素通りが防止される。
【発明の効果】
【００１６】
本発明のエンジンの排気浄化装置によれば、インジェクタから排気通路内に噴射された添加剤の濃度の不均一を積極的に解消することにより、排ガス中に添加剤を良好に拡散させて触媒装置上の各部位に均等に供給することができる。
【図面の簡単な説明】
【００１７】
【図１】実施形態のディーゼルエンジンの排気浄化装置を示す斜視図である。
【図２】同じく排気浄化装置を示す側断面図である。
【図３】同じく排気浄化装置を示す図２のIII-III線断面図である。
【図４】尿素水の３本の噴霧の衝突領域と排気ミキサの上流フィンとの位置関係を示す図３の部分拡大図である。
【図５】排気ミキサによる排ガスの拡散状況を示す図４のV-V線断面図である。
【図６】第１及び第２ベース板から排気ミキサの本体部を製作する手順を示す説明図である。
【発明を実施するための形態】
【００１８】
以下、本発明をディーゼルエンジンの排気浄化装置に具体化した一実施形態を説明する。
図１は本実施形態のディーゼルエンジンの排気浄化装置を示す斜視図、図２は同じく排気浄化装置を示す側断面図、図３は同じく排気浄化装置を示す図２のIII-III線断面図、図４は尿素水の３本の噴霧の衝突領域と排気ミキサの上流フィンとの位置関係を示す図３の部分拡大図、図５は排気ミキサによる排ガスの拡散状況を示す図４のV-V線断面図である。以下、説明の便宜上、図１の上下方向を上下、左右方向を左右、紙面と直交する方向を前後として表現する。
【００１９】
本実施形態の排気浄化装置１は、エンジンの冷態始動時等において触媒を早期活性化するために、エンジンに対して近接配置された近接型排気浄化装置として構成されている。
排気浄化装置１は、ディーゼル酸化触媒（以下、ＤＯＣという）２、及びＳＣＲ・ディーゼルパティキュレートフィルタ３（本発明の触媒装置であり、以下、ＳＤＰＦという）から構成されている。ＳＤＰＦ３は、ウォールフロー型のディーゼルパティキュレートフィルタ上にＳＣＲ触媒を担持させて製作され、排ガス中に含まれるパティキュレートマターを捕集するＤＰＦ機能と、アンモニアの供給により排ガス中のＮＯxを還元・浄化するＳＣＲ機能とを兼ね備えている。
【００２０】
但し、本発明は近接型に限るものでもＳＤＰＦ３に限るものでもなく、例えば床下に配置された排気浄化装置に適用したり、或いはＤＰＦとは別にＳＣＲ触媒を備えた構成としたりしてもよい。
ＤＯＣ２とＳＤＰＦ３は図示しないエンジンの右側方で、ＤＯＣ２が上段に配設され、ＳＤＰＦ３が下段に配設されている。ＤＯＣ２の左端の入口２ａにはエンジンからの図示しない排気管が接続され、ＤＯＣ２の右端の出口２ｂとＳＤＰＦ３の右端の入口３ａとは、上下方向に延びる排気通路４を介して互いに接続されている。また、ＳＤＰＦ３の右端の出口３ｂには図示しない排気管が接続され、排気管上には後段酸化触媒や消音器が介装されている。
【００２１】
以上のＤＯＣ２及びＳＤＰＦ３の配置は、エンジンの右側方の限られたスペースに設置するためであり、さらにスペース的な制限に起因して排気通路４の断面形状は左右方向に短く、前後方向に長く、上方より見た平面視において長方形状（いわゆる扁平状）をなしている。
排気通路４の上部には添加剤として尿素水を噴射するインジェクタ５（添加剤噴射手段）が直立姿勢で配設され、インジェクタ５の先端部は排気通路４内に挿入されている。インジェクタ５の噴射軸線Ｌは、その先端部から排気通路４の中央を下方（排気下流側）に向かうように設定されており、先端部に設けられた３噴孔から噴射軸線Ｌに沿って尿素水が噴射されるようになっている。噴射された尿素水の３本の噴霧は、図４に示すように噴射軸線Ｌを取り囲む配置を保ちつつ、下方に向かうに従って次第に噴射軸線Ｌから離間する。
【００２２】
エンジンの運転中に排出される排ガスは排気管を経てＤＯＣ２に流入し、ＤＯＣ２の酸化作用によりＣＯ（一酸化炭素）及びＨＣ（炭化水素）が浄化されると共に、ＳＤＰＦ３に捕集されたパティキュレートの焼却やＳＤＰＦ３によるＮＯx浄化のために有用なＮＯ2が排ガス中のＮＯから生成される。
ＤＯＣ２を経て排気通路４内に流入した排ガス中にはインジェクタ５から尿素水が噴射され、後述する排気ミキサ７の作用により排ガス中に尿素水が拡散される。排気通路４を流通する過程で、尿素水は排気熱及び排ガス中の水蒸気により加水分解されてアンモニアを生成し、このアンモニアと共に排ガスがＳＤＰＦ３に流入する。ＳＤＰＦ３内で排ガス中のパティキュレートが捕集されると共に、排ガス中のアンモニアを利用して排ガス中のＮＯxが還元・浄化される。ＳＤＰＦ３から排出された排ガスは、排気管を経て外部に排出される。
【００２３】
次いで、上記のように尿素水の拡散作用を奏する排気ミキサについて説明する。
図２，３に示すように排気ミキサ７は、排気通路４内に配設される本体部８と、本体部８を固定するための固定板９とから構成されている。固定板９は四角板状をなし、その中央には透孔９ａが貫設されると共に、透孔９ａの内周縁の４箇所には溶接片９ｂが一体形成されている。排気ミキサ７の本体部８は透孔９ａ内に配設されて各溶接片９ｂに溶接され、結果として、本体部８の周囲に鍔状をなすように固定板９が配置されている。
【００２４】
一方、排気通路４はフランジ４ａを介して上下に２分割されており、互いのフランジ４ａが図示しないボルトで締結されることにより一体化されている。排気ミキサ７の固定板９は、このような排気通路４の両フランジ４ａの間に挟み込まれて共締めされ、これにより排気通路４内に本体部８が配設されている。本体部８は上方より見た平面視で排気通路４の断面と対応する長方形状をなし、その外周面が排気通路４の内周面とほぼ密着し、全ての排ガスが本体部８の内部を流通するように配慮されている。
【００２５】
全体として排気ミキサ７の本体部８は、外周面を形作る長方形状の枠体１０内に多数枚の略四角状をなす上流フィン１１及び下流フィン１２を突出させた形状をなし、例えばステンレス等の一対の所定形状を成す金属板（以下、第１及び第２ベース板１３，１４という）を折曲形成した上で、互いに溶接して製作されている。
図６は第１及び第２ベース板１３，１４から排気ミキサ７の本体部８を製作する手順を示す説明図であり、図中の左方から右方へと打抜工程、折曲工程、溶接工程の順に作業が進行する。
【００２６】
まず打抜工程が実施され、金属板から所定形状の第１及び第２ベース板１３，１４が切り出される。切り出された各ベース板１３，１４は、完成後に枠体１０となる部位と上流及び下流フィン１１，１２となる部位とから形作られる。そして第１ベース板１３では、枠体１０の上部に４枚の上流フィン１１が形成され、下部に６枚の下流フィン１２が形成され、第２ベース板１４では、枠体１０の上部に６枚の上流フィン１１が形成され、下部に６枚の下流フィン１２が形成される。
【００２７】
以下の説明では、第１ベース板１３の上流及び下流フィン１１，１２には「第１」を付して第１上流フィン１１ａ及び第１下流フィン１２ａと称し、第２ベース板１４の上流及び下流フィン１１，１２には「第２」を付して第２上流フィン１１ｂ及び第２下流フィン１２ｂと称して区別する。また、単に上流フィン１１或いは下流フィン１２と称した場合には、双方（第１及び第２）を指すものとする。
【００２８】
続いて折曲工程が実施され、各ベース板１３，１４の上流及び下流フィン１１，１２が同一方向に直角に折曲されると共に、枠体１０の両端も同一方向に直角に折曲される。結果として何れのベース板１３，１４においても、枠体１０の長手方向（完成後の前後方向）に上流フィン１１及び下流フィン１２がそれぞれ並設される。なお、上流及び下流フィン１１，１２の折曲角度は直角に限るものではなく、他の角度となるように折曲してもよい。
【００２９】
その後に溶接工程が実施され、互いのベース板１３，１４の枠体１０の両端が溶接される。
以上で本体部８の製作が完了し、この本体部８を固定板９に溶接すれば排気ミキサ７が完成する。
このように本実施形態の排気ミキサは、所定形状の第１及び第２ベース板１３，１４を折曲形成して互いに溶接するだけの簡単な工程で製作できるため、極めて安価なコストにより実施することができる。但し、排気ミキサの製造方法は、以上に限るものではなく任意に変更してもよい。
【００３０】
次いで、このようにして製作された排気ミキサ７の詳細、特にフィン１１，１２の位置や形状等について説明する。
図４に示すように、インジェクタ５の噴射軸線Ｌは本体部８の枠体１０内の前後方向及び左右方向で共に中央に位置しており、以下に述べるように、この噴射軸線Ｌを基準として各フィン１１，１２の位置や姿勢等が設定されている。
【００３１】
上記したように排気ミキサ７は、長方形状の枠体１０内に多数枚の上流フィン１１及び下流フィン１２を突出させた形状をなしている。詳しくは、枠体１０内の左側壁（一側壁）から第１上流フィン１１ａ及び第１下流フィン１２ａが延設され、枠体１０内の右側壁（他側壁）から第２上流フィン１１ｂ及び第２下流フィン１２ｂが延設されている。そして、第１及び第２上流フィン１１ａ，１１ｂにより、所定の間隙１５を介して前後方向に並設された上流フィン１１が形作られ、第１及び第２下流フィン１２ａ，１２ｂにより、同じく所定の間隙１５を介して前後方向に並設された下流フィン１２が形作られている。
【００３２】
このように上流及び下流フィン１１，１２を２分割しているのは、枠体１０の内壁から片持ち支持されるフィン長さを極力短縮化して、耐久性を向上させることを目的としたものである。
上記のように各フィン１１，１２の間には間隙１５が形成されているものの、噴射軸線Ｌの前後両側に位置する一対の第１上流フィン１１ａのみは隙間なく配置されている。このフィン配置は、第１上流フィン１１ａに直接的に衝突する尿素水の素通りを防止する対策である。
【００３３】
そして、左右方向において、第１及び第２上流フィン１１ａ，１１ｂの先端同士は噴射軸線Ｌを境界として突き合わされ、同じく第１及び第２下流フィン１２ａ，１２ｂの先端同士も噴射軸線Ｌを境界として突き合わされている。このようなフィン配置も、排気上流側から下流側への尿素水の素通りを防止する対策である。
なお、例えば上流フィン１１の突き合わせ位置と下流フィン１２の突き合わせ位置とを左右方向にずらしてもよく、この場合には尿素水の素通りを一層防止できる。
【００３４】
また、基本的に前後方向において、上流及び下流フィン１１，１２は噴射軸線Ｌを境界として前後に等分配置（第１上流フィン１１ａは前後に２枚ずつ、他のフィン１１ｂ，１２ａ，１２ｂは前後に３枚ずつ）されている。
そして、噴射軸線Ｌを挟んで前後両側に位置する一対の上流フィン１１は、その一端が噴射軸線Ｌ側（排気通路４内の中央側）で対峙すると共に、この噴射軸線Ｌ側から反噴射軸線Ｌ側（排気通路４内の外周側）且つ下方（排気下流側）に向けて傾斜するように略対称に配置されている。換言すると、噴射軸線Ｌを挟んで前後両側に位置する一対の上流フィン１１の対峙箇所が噴射軸線Ｌ上に存在している。
【００３５】
また、これらの上流フィン１１の傾斜に倣うように、その前後両側に位置する上流フィン１１も、それぞれ噴射軸線Ｌ側から反噴射軸線Ｌ側且つ下方に向けて傾斜するように配置され、その前後両側に位置する上流フィン１１（第２上流フィン１１ｂのみ）も、それぞれ噴射軸線Ｌ側から反噴射軸線Ｌ側且つ下方に向けて傾斜するように配置されている。
下流フィン１２についても同様であり、噴射軸線Ｌを挟んで前後両側に３枚ずつの下流フィン１２が並設されているが、それらの下流フィン１２は、噴射軸線Ｌ側から反噴射軸線Ｌ側且つ下方に向けて傾斜するように配置されている。
【００３６】
即ち、全ての上流及び下流フィン１１，１２は、噴射軸線Ｌ側を上方に位置させ、反噴射軸線Ｌ側を下方に位置させて傾斜しており、このような各フィン１１，１２の傾斜は、後述するように、尿素水を噴射軸線Ｌから離間する方向（以下、単に離間方向という場合もある）に拡散させることを目的とする。
そして、噴射軸線Ｌを境界とした傾斜については上流フィン１１と下流フィン１２とで相違はないものの、フィン同士の上下方向の位置関係については異なる配置が採られている。図６の折曲工程後に示すように、上流フィン１１は、噴射軸線Ｌでの一対の上流フィン１１の対峙箇所を頂点として、反噴射軸線Ｌ側の上流フィン１１ほど下方に位置することにより、各上流フィン１１が全体として並設方向に山形をなすように列設されている。これに対して下流フィン１２は、何れも同一高さで列設されている。
【００３７】
また、上流フィン１１と下流フィン１２は上方（インジェクタ５側）から見た平面視においてオーバラップするように、前後方向（並設方向）で互い違いに配設されている。結果として、各上流フィン１１の間に形成された間隙１５の直下には下流フィン１２が位置している。
このような上流及び下流フィン１１，１２の配置は、互いの役割の相違に起因する。即ち、インジェクタ５からの尿素水が直接衝突する上流フィン１１は、尿素水を離間方向に拡散させることを最優先としている。このため上流フィン１１は、尿素水を離間方向に良好に拡散させるために最も適した山形に列設されている。
【００３８】
これに対して下流フィン１２は、離間方向への拡散促進よりも尿素水の素通り防止を優先している。そのために各下流フィン１２は、上流フィン１１の間隙１５の直下に位置すると共に、同一高さで列設されており、これらの要件により、上流フィン１１の間隙１５を素通りした尿素水が下流フィン１２により確実に受け止められる。
一方、図４，５に示すように、インジェクタ５の噴射軸線Ｌは排気ミキサ７の枠体１０の中央（排気通路４の中央でもある）に位置し、その噴射軸線Ｌを中心とした３本の尿素水の噴霧が排気ミキサ７の各上流フィン１１上に衝突する。図４では上流フィン１１を識別し易いようにハッチングを付しているが、１本の噴霧は第１上流フィン１１ａ上の領域Ｅａに衝突し、残りの２本の噴霧は第２上流フィン１１ｂ上の領域Ｅｂ,Ｅｃに衝突し、前後方向において互いの衝突領域Ｅａ,Ｅｂ,Ｅｃを異にしている。
【００３９】
そして第１及び第２上流フィン１１ｂは、それぞれの衝突領域Ｅａ,Ｅｂ,Ｅｃを包含するように前後方向に並設されている。詳しくは、前後方向に相対的に短い衝突領域Ｅａに対応するように、第１上流フィン１１ａは計４枚が並設され、前後方向に相対的に長い衝突領域Ｅｂ,Ｅｃに対応するように、第２上流フィン１１ｂは計６枚が並設されている。結果として、尿素水の噴霧が衝突する領域Ｅａ,Ｅｂ,Ｅｃに必ず上流フィン１１が存在することになり（フィン間の間隙１５は除く）、これにより下流側への尿素水の素通りが防止されている。
【００４０】
次いで、以上のように構成された排気ミキサ７による尿素水の拡散作用について説明する。
図４，５に示すように、排気通路４内を排気ミキサ７へと流れる排ガス中にはインジェクタ５から尿素水が噴射され、排ガスは排気ミキサ７の各上流フィン１１及び各下流フィン１２の間に形成された間隙１５を下流側へと流通する。インジェクタ５の噴射軸線Ｌは排気ミキサ７の本体部８の中央に位置し（図４に示す）、その噴射軸線Ｌを中心とした３本の尿素水の噴霧が排気ミキサ７の各上流フィン１１に衝突する。
【００４１】
詳しくは図５に示すように、１本の噴霧は、噴射軸線Ｌを挟んだ前後両側に位置する一対の第１上流フィン１１ａの間、即ち山形の頂点箇所に衝突する（衝突領域Ｅａ）。これらの第１上流フィン１１ａは隙間なく配置されているため、尿素水は下流側に素通りすることなく第１上流フィン１１ａにより受け止められ、その傾斜に倣って第１上流フィン１１ａ上を前方及び後方（反噴射軸線Ｌ方向）に移動する。
【００４２】
それらの尿素水の一部は、前後両側に位置する第１上流フィン１１ａとの間の間隙１５から流下し、残りの尿素水は前後両側の第１上流フィン１１ａ上をさらに前方及び後方に移動した後に間隙１５から流下する。結果として尿素水は、各第１上流フィン１１ａにより前後方向に拡散されながら、適宜間隙１５を経て第１下流フィン１２ａへと流下する。
そして、第１上流フィン１１ａの間隙１５の直下には第１下流フィン１２ａが位置しているため、流下した尿素水は第１下流フィン１２ａにより受け止められ、上記した第１上流フィン１１ａの場合と同様に、その傾斜に倣って第１下流フィン１２ａ上を前方及び後方に移動しつつ、それぞれの間隙１５の箇所で適宜流下する。
【００４３】
このようにして、第１上流フィン１１ａ上に衝突した尿素水は、第１上流フィン１１ａ及び第１下流フィン１２ａにより前後方向に拡散される。
一方、残りの２本の噴霧は第２上流フィン１１ｂに衝突する。その衝突位置は、噴射軸線Ｌを挟んだ前後両側の計４枚の第２上流フィン１１ｂであり、それらの傾斜に倣って前方及び後方に移動しつつ、各間隙１５を経て第２下流フィン１２ｂへと流下する。そして、各間隙１５の直下に第２下流フィン１２ｂが位置しているため、流下した尿素水は第２下流フィン１２ｂに受け止められ、その傾斜に倣って前方及び後方に移動しつつ、それぞれの間隙１５の箇所で適宜流下する。
【００４４】
結果として第２上流フィン１１ｂ上に衝突した尿素水は、第２上流フィン１１ｂ及び第２下流フィン１２ｂにより前後方向に拡散される。
［発明が解決しようとする課題］で述べたように、尿素水はインジェクタ５の先端部から噴射軸線Ｌに沿って噴射されるため、噴射軸線Ｌ付近の排気通路４の中央側では尿素水が濃く、噴射軸線Ｌから離間した排気通路４の外周側では薄くなる傾向がある。特に本実施形態では、スペース的な制約から排気通路４が長方形状の断面をなしているため、前後方向において尿素水の濃度に大きな格差が生じる。
【００４５】
排気ミキサ７による尿素水の前後方向への拡散は、このような尿素水の濃度の不均一を積極的に解消する方向に作用する。即ち、尿素水が前後方向に拡散されることで、排気通路４の中央側の濃度は低下し、外周側の濃度は増加するため、結果として濃度の格差が縮小されて均一化される。このため、尿素水が排ガス中に良好に拡散し、尿素水の加水分解により生成されるアンモニアも排ガス中に良好に拡散した状態となることから、ＳＤＰＦ３上の各部位にアンモニアを均等に供給してＮＯx浄化性能を最大限に発揮させることができる。
【００４６】
以上で実施形態の説明を終えるが、本発明の態様はこの実施形態に限定されるものではない。例えば上記実施形態では、ＮＯx浄化のために添加剤として尿素水をＳＤＰＦ３に供給する排気浄化装置に具体化したが、排気浄化装置の種別はこれに限るものではない。例えば、吸蔵型ＮＯx触媒のＮＯxパージやＳＯxパージのためにインジェクタから添加剤として燃料を噴射する排気浄化装置に適用してもよい。この場合でも上記実施形態と同様に、排気ミキサにより排ガス中への燃料の拡散を促進して良好にＮＯxパージやＳＯxパージを実行することができる。
【００４７】
また、排気ミキサ７の仕様、例えばフィン１１，１２の枚数、位置、形状等についても、上記実施形態に限るものではなく任意に変更可能である。
【符号の説明】
【００４８】
３     ＳＤＰＦ（触媒装置）
４     排気通路
５     インジェクタ（添加剤噴射手段）
７     排気ミキサ
１１   上流フィン
１１ａ 第１上流フィン
１２   下流フィン
１２ａ 第１下流フィン
【図１】
2018040336.tif 000003
【図２】
2018040336.tif 000004
【図３】
2018040336.tif 000005
【図４】
2018040336.tif 000006
【図５】
2018040336.tif 000007
【図６】
2018040336.tif 000008